(57)【要約】【課題】電動駆動部を内部に収容する電動駆動ユニットにおいて結露を抑制することができる洗浄水タンク装置を提供する。【解決手段】実施形態に係る洗浄水タンク装置は、タンクと、排水弁装置と、電動駆動ユニットと、連通部とを備える。タンクは、洗浄水を貯留する。排水弁装置は、タンクの排水口に設けられる排水弁を開閉する。電動駆動ユニットは、タンク内に配置されるとともに、排水弁装置を電動駆動によって動作させる電動駆動部を内部に収容する。連通部は、電動駆動ユニットの内部の空間を、タンクの背面部に形成され満水水位より上方に位置される開口部を介してタンクの外部の空間に連通させる。【選択図】図３
2019218761.tif 000002
【特許請求の範囲】
【請求項１】
洗浄水を貯留するタンクと、
前記タンクの排水口に設けられる排水弁を開閉する排水弁装置と、
前記タンク内に配置されるとともに、前記排水弁装置を電動駆動によって動作させる電動駆動部を内部に収容する電動駆動ユニットと、
前記電動駆動ユニットの内部の空間を、前記タンクの背面部に形成され満水水位より上方に位置される開口部を介して前記タンクの外部の空間に連通させる連通部と
を備えることを特徴とする洗浄水タンク装置。
【請求項２】
前記タンクの前記開口部に配置されるとともに、前記連通部を保持する保持部
をさらに備えることを特徴とする請求項１に記載の洗浄水タンク装置。
【請求項３】
前記保持部は、
一端が前記連通部に接続される一方、他端が前記タンクの外部の空間に開放される通気部
を備えることを特徴とする請求項２に記載の洗浄水タンク装置。
【請求項４】
前記保持部はさらに、
前記電動駆動ユニットに接続される電線を保持すること
を特徴とする請求項２または３に記載の洗浄水タンク装置。
【請求項５】
前記タンクは、
タンク本体部と、
前記タンクの上方に配置される蓋部と
を備え、
前記保持部は、
前記タンク本体部の上端部に係止されて配置されること
を特徴とする請求項２〜４のいずれか一つに記載の洗浄水タンク装置。
【請求項６】
前記開口部は、
前記蓋部の下端部に形成される切欠きであること
を特徴とする請求項５に記載の洗浄水タンク装置。
【請求項７】
前記電動駆動ユニットは、
一端側が前記排水弁装置に気密に接続され、前記電動駆動部の駆動力を出力する出力軸
を備え、
前記連通部は、
前記出力軸の他端側を覆うように取り付けられるキャップ部に接続されて、前記電動駆動ユニットの内部の空間を前記タンクの外部の空間に連通させること
を特徴とする請求項１〜６のいずれか一つに記載の洗浄水タンク装置。
【請求項８】
前記連通部は、
可撓性を有する連通管を含むこと
を特徴とする請求項１〜７のいずれか一つに記載の洗浄水タンク装置。
【発明の詳細な説明】
【技術分野】
【０００１】
開示の実施形態は、洗浄水タンク装置に関する。
【背景技術】
【０００２】
従来、水洗大便器に使用される洗浄水を貯える洗浄水タンク装置が知られている（例えば特許文献１参照）。上記した洗浄水タンク装置にあっては、モータなどの電動駆動部を内部に収容する電動駆動ユニットがタンク内に配置され、かかる電動駆動部によってタンクの排水弁装置を動作させるように構成される。
【先行技術文献】
【特許文献】
【０００３】
【特許文献１】特開２０１５−１９６９４９号公報
【発明の概要】
【発明が解決しようとする課題】
【０００４】
しかしながら、従来技術にあっては、電動駆動ユニットがタンク内に配置されるため、例えば、タンクの洗浄水が水蒸気となって電動駆動ユニット内に流入し、かかる水蒸気の結露によって生じた水が電動駆動部などに付着して影響を及ぼすおそれがあった。
【０００５】
また、例えば、水蒸気の侵入を抑制するため、電動駆動ユニットの内部を気密に封止すると、電動駆動部が放熱されにくくなって内部の温度が上昇し易くなる。そのため、電動駆動部が停止して内部の温度が低下した場合に結露によって水が生じ、電動駆動部などに影響を及ぼすおそれがあった。
【０００６】
このように、従来技術には、電動駆動部を内部に収容する電動駆動ユニットにおいて結露を抑制するという点で改善の余地があった。
【０００７】
実施形態の一態様は、電動駆動部を内部に収容する電動駆動ユニットにおいて結露を抑制することができる洗浄水タンク装置を提供することを目的とする。
【課題を解決するための手段】
【０００８】
実施形態の一態様に係る洗浄水タンク装置は、洗浄水を貯留するタンクと、前記タンクの排水口に設けられる排水弁を開閉する排水弁装置と、前記タンク内に配置されるとともに、前記排水弁装置を電動駆動によって動作させる電動駆動部を内部に収容する電動駆動ユニットと、前記電動駆動ユニットの内部の空間を、前記タンクの背面部に形成され満水水位より上方に位置される開口部を介して前記タンクの外部の空間に連通させる連通部とを備えることを特徴とする。
【０００９】
これにより、例えば、電動駆動ユニット内に水蒸気がある場合であっても、かかる水蒸気は連通部を介して外部の空間へ流出し易くなり、これにより結露を抑制することができる。また、結露を抑制することで結露水が生じにくく、結果として電動駆動部などに水が付着して劣化するなどの影響を低減させることができる。また、電動駆動部の駆動に伴う熱を連通部を介して外部の空間へ放出することもでき、よって電動駆動ユニットにおける放熱性を向上させることができる。
【００１０】
また、前記タンクの前記開口部に配置されるとともに、前記連通部を保持する保持部をさらに備えることを特徴とする。
【００１１】
これにより、連通部が所期の位置である開口部から移動してしまうことを抑制することができる。
【００１２】
また、前記保持部は、一端が前記連通部に接続される一方、他端が前記タンクの外部の空間に開放される通気部を備えることを特徴とする。
【００１３】
このように、保持部は、他端がタンクの外部の空間に開放される通気部を備えることから、連通部を通気部の一端に接続することで、電動駆動ユニットの内部の空間をタンクの外部の空間に容易に連通させることができる。
【００１４】
また、前記保持部はさらに、前記電動駆動ユニットに接続される電線を保持することを特徴とする。
【００１５】
これにより、保持部は、連通部に加え、電線を保持することも可能になる。
【００１６】
また、前記タンクは、タンク本体部と、前記タンクの上方に配置される蓋部とを備え、前記保持部は、前記タンク本体部の上端部に係止されて配置されることを特徴とする。
【００１７】
これにより、例えば、保持部をタンクに固定するための開口などを新たに設けることなく、タンクに固定することができる。
【００１８】
また、前記開口部は、前記蓋部の下端部に形成される切欠きであることを特徴とする。
【００１９】
これにより、タンクの背面部に開口部を簡易に形成することができる。
【００２０】
また、前記電動駆動ユニットは、一端側が前記排水弁装置に気密に接続され、前記電動駆動部の駆動力を出力する出力軸を備え、前記連通部は、前記出力軸の他端側を覆うように取り付けられるキャップ部に接続されて、前記電動駆動ユニットの内部の空間を前記タンクの外部の空間に連通させることを特徴とする。
【００２１】
これにより、電動駆動ユニットの内部の空間をタンクの外部の空間に確実に連通させることができる。
【００２２】
また、前記連通部は、可撓性を有する連通管を含むことを特徴とする。
【００２３】
これにより、連通部のタンク内における配索を容易に行うことができる。
【発明の効果】
【００２４】
実施形態の一態様によれば、電動駆動部を内部に収容する電動駆動ユニットにおいて結露を抑制することができる。
【図面の簡単な説明】
【００２５】
【図１】図１は、実施形態に係る洗浄水タンク装置を備えたトイレ装置を示す斜視図である。
【図２】図２は、図１のII−II線断面図である。
【図３】図３は、洗浄水タンク装置の平面図である。
【図４】図４は、タンクの拡大背面図である。
【図５】図５は、図２のＶ−Ｖ線断面図である。
【図６】図６は、保持部の斜視図である。
【図７】図７は、タンクの開口部に配置された状態の保持部を示す側断面図である。
【図８】図８は、図７のVIII−VIII線断面図である。
【発明を実施するための形態】
【００２６】
以下、添付図面を参照して、本願の開示する洗浄水タンク装置の実施形態を詳細に説明する。なお、以下に示す実施形態によりこの発明が限定されるものではない。
【００２７】
図１は、実施形態に係る洗浄水タンク装置を備えたトイレ装置を示す斜視図である。なお、図１には、説明を分かり易くするために、互いに直交するＸ軸方向、Ｙ軸方向およびＺ軸方向を規定し、Ｚ軸正方向を鉛直上向き方向とする３次元の直交座標系を図示している。かかる直交座標系は、後述の説明に用いる他の図面でも示す場合がある。また、図１および図２以降に示す図は、いずれも模式図である。
【００２８】
図１に示すように、トイレ装置１は、便器本体（以下「便器」と記載する場合がある）２と、洗浄水タンク装置１０とを備える。便器２は、ボウル部３と、リム部４と、排水トラップ管路５と、導水路６とを備える。
【００２９】
ボウル部３は、汚物を受けることが可能なボウル状に形成される。リム部４は、ボウル部３の上縁に形成される。かかるリム部４の上部には、たとえば便座（図示省略）が設けられる。
【００３０】
また、リム部４には、導水路６が接続される。導水路６は、第１吐水口６ａと、第２吐水口６ｂとを備える。導水路６には、便器洗浄が行われる場合に、洗浄水タンク装置１０の排水口１５から排出される洗浄水が流入する。そして、導水路６の洗浄水は、第１、第２吐水口６ａ，６ｂを介してボウル部３へ吐水され、旋回しながらボウル部３を洗浄する。なお、導水路６の吐水口の数は２つに限定されるものではなく、１つまたは３つ以上であってもよい。
【００３１】
排水トラップ管路５は、ボウル部３に接続される。詳しくは、排水トラップ管路５は、入口部５ａと、溜水部５ｂとを備える。入口部５ａは、ボウル部３の底部と連続するように設けられ、ボウル部３からの洗浄水を排水トラップ管路５へ流入させる。
【００３２】
溜水部５ｂは、入口部５ａの下流側に位置されるとともに、所定量の洗浄水が溜まる形状とされる。溜水部５ｂの下流側は、図示しない排水路に接続され、よって溜水部５ｂに流れ込む洗浄水は排水路から排出される。このように、排水トラップ管路５は、溜水部５ｂに洗浄水が溜まり、封水として機能することで、排水管からの臭気等がボウル部３側へ逆流することを防止する。
【００３３】
洗浄水タンク装置１０は、便器２の後方（Ｙ軸負方向）上部に設置される。洗浄水タンク装置１０は、洗浄水を貯留するタンク１１を備える。かかるタンク１１は、タンク本体部１２と、蓋部１３とを備える。タンク本体部１２は、上面が開口された直方体状の容器であり、便器２のボウル部３を洗浄する洗浄水を貯える。タンク本体部１２の底面には、上記した排水口１５が設けられる。なお、タンク本体部１２の内部の構成については、図２を用いて後述する。また、図１に示すタンク本体部１２の形状やタンク本体部１２の便器２に対する設置位置などは、あくまでも例示であって限定されるものではない。
【００３４】
蓋部１３は、タンク本体部１２の上面を全体的に覆うように配置され、タンク本体部１２の上部に着脱自在に取り付けられる。
【００３５】
また、トイレ装置１が設置されるトイレ室の適宜位置には、操作リモコン２０が設けられる。かかる操作リモコン２０は、便器洗浄を開始する開始指示などが使用者によって入力される操作ボタン２１を備える。操作リモコン２０は、使用者から操作ボタン２１を介して入力された開始指示を示す信号を図示しない制御装置へ出力する。なお、図示は省略するが、人感センサが設けられ、かかる人感センサの出力に基づいて開始指示を示す信号を出力してもよい。
【００３６】
図２は、図１のII−II線断面図である。また、図３は、洗浄水タンク装置１０の平面図である。なお、図３においては、理解の便宜のため、蓋部１３を取り外した洗浄水タンク装置１０を示している。
【００３７】
図２および図３に示すように、洗浄水タンク装置１０は、給水装置３０と、排水弁装置４０と、手動駆動ユニット５０と、電動駆動ユニット６０と、固定部７０と、オーバーフロー管１００とを備え、これらはタンク本体部１２内に配置されて収容される。
【００３８】
給水装置３０は、タンク本体部１２内へ洗浄水を供給する。たとえば、給水装置３０は、フロート３１を備え、かかるフロート３１の上下の変動に応じてタンク本体部１２内へ洗浄水を供給したり、供給を停止したりする。
【００３９】
排水弁装置４０は、排水弁４１と、ワイヤ４２，４３とを備え、排水弁４１を開閉するように構成される。具体的には、排水弁４１は、排水口１５に設けられるとともに、上下動可能に構成される。そして、排水弁４１は、かかる上下動により排水口１５を開閉する。ワイヤ４２，４３は、一端側が排水弁４１に接続される。そして、ワイヤ４２の他端側は、手動駆動ユニット５０に接続される。
【００４０】
手動駆動ユニット５０は、操作レバー５１が操作されると、図示しない歯車が回転してワイヤ４２を巻き取る。これにより、排水弁４１はワイヤ４２に引っ張られて上昇し、排水口１５が開放される。排水口１５の開放により、タンク本体部１２内の洗浄水が便器２（図１参照）へ排水される、すなわち、便器洗浄が行われる。
【００４１】
また、ワイヤ４３の他端側は、電動駆動ユニット６０に接続される。電動駆動ユニット６０は、駆動モータや、駆動モータの駆動によって回転動作可能な操作部６８などを備え、タンク１１内、正確にはタンク本体部１２内に配置される。なお、駆動モータは、電動駆動ユニット６０の内部に収容されるため、図２，３では見えない。上記したワイヤ４３は、操作部６８を介して駆動モータに接続される。
【００４２】
そして、操作リモコン２０（図１参照）から便器洗浄を開始する開始指示を示す信号が制御装置へ出力されると、制御装置は電動駆動ユニット６０の駆動モータを駆動し、操作部６８を回転させてワイヤ４３を巻き取る。これにより、排水弁４１はワイヤ４３に引っ張られて上昇し、排水口１５が開放されて便器洗浄が行われる。なお、上記した制御装置は電動駆動ユニット６０が備えてもよい。また、電動駆動ユニット６０の詳しい構成については、図５を参照して後述する。
【００４３】
固定部７０は、上記した電動駆動ユニット６０をタンク１１内に固定する部材である。例えば、固定部７０には、電動駆動ユニット６０が取り付けられ、固定部７０は、電動駆動ユニット６０をオーバーフロー管１００の上端部付近に固定する。
【００４４】
オーバーフロー管１００は、タンク１１内において排水弁装置４０の側方に設けられる、言い換えると、排水弁装置４０に隣接して設けられる。また、オーバーフロー管１００は、タンク１１内に上下方向に沿って延設される。そして、オーバーフロー管１００は、上端側に流入口１０１が形成される一方、下端側は排水口１５と連通される。従って、オーバーフロー管１００は、タンク本体部１２内において満水水位を超えた洗浄水を流入口１０１へ溢水させ、排水口１５を介して便器２へ排出する。
【００４５】
ところで、上記したように、電動駆動ユニット６０は、タンク１１内に配置される。そのため、例えば、タンク１１の洗浄水が水蒸気となって電動駆動ユニット６０内に流入し、かかる水蒸気の結露によって生じた水が駆動モータなどに付着して、劣化などの影響を及ぼすおそれがある。
【００４６】
そこで、本実施形態に係る洗浄水タンク装置１０にあっては、駆動モータを内部に収容する電動駆動ユニット６０において結露を抑制することができるような構成とした。
【００４７】
以下、詳しく説明すると、洗浄水タンク装置１０は、連通部８０と、キャップ部８５と、保持部９０とを備える。連通部８０は、電動駆動ユニット６０に接続され、電動駆動ユニット６０の内部の空間をタンク１１の外部の空間に連通させる。
【００４８】
これにより、本実施形態にあっては、例えば仮に、電動駆動ユニット６０内に水蒸気がある場合であっても、かかる水蒸気は連通部８０を介して外部の空間へ流出し易くなり、これにより結露を抑制することができる。
【００４９】
また、本実施形態にあっては、結露を抑制することで結露水が生じにくく、結果として駆動モータなどに水が付着して劣化するなどの影響を低減させることができる。
【００５０】
また、本実施形態にあっては、駆動モータの駆動に伴う熱を連通部８０を介して外部の空間へ放出することもでき、よって電動駆動ユニット６０における放熱性を向上させることができる。
【００５１】
上記した連通部８０は、例えば、一端８０ａが電動駆動ユニット６０に接続され、タンク１１内を通るように配設されて、他端８０ｂがタンク１１の開口部１４（図２参照）まで、あるいは開口部１４付近まで延在されることで、電動駆動ユニット６０の内部の空間をタンク１１の外部の空間に連通させる。
【００５２】
上記した開口部１４は、タンク１１の背面部１１ａであって、左右方向（Ｘ軸方向）において中央または略中央に位置するように形成される。図４は、タンク１１の拡大背面図である。
【００５３】
図４に示すように、開口部１４は、タンク１１の背面部１１ａ側において、タンク本体部１２と蓋部１３との間に形成される。詳しくは、開口部１４は、蓋部１３の下端部１３ａに形成される切欠きであり、より詳しくは、下端部１３ａから上方に向けて湾曲するように形成される切欠きである。これにより、タンク１１の背面部１１ａに開口部１４を簡易に形成することができる。
【００５４】
なお、開口部１４の形状は、上記に限定されるものではない。すなわち、例えば、開口部１４は、タンク本体部１２の上端部１２ａに形成される切欠きや、タンク本体部１２や蓋部１３に穿設される孔などであってもよい。
【００５５】
また、開口部１４は、例えば、図４に一点鎖線で示すタンク１１の満水水位Ｌより上方に位置される。これにより、他端８０ｂが開口部１４付近に位置される連通部８０（図２参照）において、他端８０ｂから洗浄水が流入することはない。
【００５６】
上記した開口部１４は、例えば、便器洗浄においてタンク１１内の洗浄水が排出される際の空気の流入口として機能することができる。
【００５７】
従って、図２に示すように、本実施形態にあっては、連通部８０の他端８０ｂが開口部１４付近まで延在されることで、連通部８０は、便器洗浄時の空気の流入口として機能する開口部１４を利用して、電動駆動ユニット６０の内部の空間とタンク１１の外部の空間と連通させることが可能となる。これにより、例えば、開口部を新たに設けることなく、電動駆動ユニット６０の内部の空間とタンク１１の外部の空間と連通させることができる。
【００５８】
このように、連通部８０は、電動駆動ユニット６０の内部の空間を、開口部１４を介してタンク１１の外部の空間に連通させる。なお、かかる開口部１４には、連通部８０を保持する保持部９０が係止されて配置されるが、これについては後述する。
【００５９】
また、連通部８０としては、ゴムチューブなど可撓性を有し、屈曲自在な連通管を用いることができる。このように、連通部８０が可撓性を有することで、連通部８０のタンク１１内における配索を容易に行うことができる。
【００６０】
なお、連通部８０は、上記した可撓性を有する連通管に限定されるものではなく、例えば、硬質のパイプなどその他の種類の連通する部材であってもよい。
【００６１】
ここで、連通部８０の一端８０ａが接続される電動駆動ユニット６０の構成について、図５を参照して説明する。図５は、図２のＶ−Ｖ線断面図であり、具体的には、電動駆動ユニット６０の横断面図である。
【００６２】
図５に示すように、電動駆動ユニット６０は、駆動モータ６１と、動力伝達機構６２と、出力軸６３と、ケース６４と、操作部６５とを備える。
【００６３】
駆動モータ６１は、排水弁装置４０を電動駆動によって動作させる電動モータである。例えば、駆動モータ６１は、出力軸６１ａを備え、駆動力（回転動力）を出力軸６１ａを介して出力することができる。なお、駆動モータ６１は、電動駆動部の一例である。
【００６４】
動力伝達機構６２は、駆動モータ６１に接続され、駆動モータ６１から出力される駆動力を出力軸６３へ伝達する。なお、図５においては、図示の簡略化のため、動力伝達機構６２を一点鎖線で模式的に示した。かかる動力伝達機構６２としては、歯車機構などを用いることができるが、これに限られず、ベルト機構などその他の機構であってもよい。
【００６５】
出力軸６３は、動力伝達機構６２に接続されるとともに、回転可能に軸支される。従って、出力軸６３は、駆動モータ６１の駆動力が動力伝達機構６２を介して伝達されて回転し、駆動モータ６１の駆動力を出力する。
【００６６】
ケース６４は、上記した駆動モータ６１と、動力伝達機構６２と、出力軸６３とを収容する。なお、図５に示すように、ケース６４は、出力軸６３の一部を収容する、言い換えると、出力軸６３を部分的に露出させた状態で収容する。
【００６７】
詳しくは、ケース６４には、孔６４ａ，６４ｂが形成される。そして、ケース６４は、出力軸６３の一端６３ａを孔６４ａから突出させて露出させる一方、出力軸６３の他端６３ｂを孔６４ｂから突出させて露出させた状態で収容する。
【００６８】
ここで、上記したケース６４の孔６４ａ付近において、ケース６４と出力軸６３の一端６３ａとの間には、封止部材６６ａが設けられる。なお、封止部材６６ａとしては、Ｏリングなどを用いることができるが、これに限定されるものではない。従って、ケース６４にあっては、出力軸６３の一端６３ａ側が気密に封止される。
【００６９】
また、ケース６４から露出される出力軸６３の一端６３ａには、操作部６５が接続される。操作部６５は、上記したように、排水弁装置４０のワイヤ４３が接続されることから、出力軸６３は、一端６３ａ側が排水弁装置４０に気密に接続されるといえる。
【００７０】
他方、出力軸６３の他端６３ｂが挿通されるケース６４の孔６４ｂ付近には、上記したような、出力軸６３に対する封止部材は設けられていない。そして、ケース６４から露出される出力軸６３の他端６３ｂに、キャップ部８５が取り付けられる。
【００７１】
詳しくは、キャップ部８５は、本体部８６と、突出部８７とを備える。本体部８６は、円筒状であり、内周面に雌ネジ８６ａが形成される。突出部８７は、本体部８６から軸方向（図５においてＸ軸方向）に沿って突出する形状であり、内部には空間Ａ２が形成される。また、突出部８７には、連通部８０が接続される接続口８７ａが形成される。
【００７２】
出力軸６３の他端６３ｂには、本体部８６の雌ネジ８６ａに対応する雄ネジ６３ｂ１が形成される。従って、本体部８６を出力軸６３の他端６３ｂに被せて締め付けることで、キャップ部８５は、出力軸６３の他端６３ｂを覆うように取り付けられる。
【００７３】
なお、出力軸６３の他端６３ｂ付近において、キャップ部８５は固定部７０に当接し、固定部７０はケース６４に当接するように位置される。そして、キャップ部８５と固定部７０との間には封止部材６６ｂが設けられ、固定部７０とケース６４との間には封止部材６６ｃが設けられ、気密に封止される。これにより、例えば、水蒸気が上記した当接部分からキャップ部８５内に流入することを抑制することができる。なお、封止部材６６ｂ，６６ｃとしては、Ｏリングなどを用いることができるが、これに限られない。
【００７４】
上記のようにしてキャップ部８５が出力軸６３に取り付けられるとともに、連通部８０の一端８０ａがキャップ部８５の接続口８７ａに接続されることで、矢印Ｄ１，Ｄ２で示すように、電動駆動ユニット６０の内部の空間Ａ１と連通部８０とが、キャップ部８５の内部の空間Ａ２を介して連通される。
【００７５】
このように、電動駆動ユニット６０にあっては、出力軸６３の一端６３ａ側が排水弁装置４０に気密に接続される一方、他端６３ｂにキャップ部８５が取り付けられることで、電動駆動ユニット６０の内部の空間Ａ１を他端６３ｂのみから開放させることが可能となる。そして、内部の空間Ａ１が開放される他端６３ｂのキャップ部８５に連通部８０が接続されることで、例えば、内部の空間Ａ１を確実に連通部８０を介してタンク１１の外部の空間に連通させることができる。
【００７６】
次に、保持部９０について図６を参照して説明する。図６は、保持部９０の斜視図である。図６に示すように、保持部９０は、本体部９１と、通気部９２と、クリップ部９３と、電線用保持部９４とを備え、連通部８０や電線Ｂを保持する。なお、図６などでは、保持部９０を明確に図示するため、連通部８０や電線Ｂを想像線で示す場合がある。
【００７７】
また、保持部９０は、タンク１１の開口部１４に配置される（図２，４参照）。図７は、タンク１１の開口部１４に配置された状態の保持部９０を示す側断面図である。
【００７８】
図６および図７に示すように、本体部９１は、平板状に形成される。本体部９１は、タンク１１の開口部１４に配置されるとき、タンク１１内に位置される。
【００７９】
通気部９２は、本体部９１の上端部９１ａ付近に設けられる。図８は、図７のVIII−VIII線断面図である。図８に示すように、通気部９２は、平面視Ｌ字状に形成される。また、通気部９２は、中空状であり、内部に通気路９２ｃが形成される。
【００８０】
そして、例えば、通気部９２の一端９２ａには、連通部８０が接続される。このとき、連通部８０にあっては、通気部９２の一端９２ａが内側に入り込むようにすることで、連通部８０が通気部９２から抜けにくくすることができる。このように、通気部９２が連通部８０に接続されることで、保持部９０は、連通部８０を保持することができる。
【００８１】
また、通気部９２の他端９２ｂは、タンク１１の外部の空間に開放される。これにより、通気部９２の通気路９２ｃは、図８に矢印Ｄ３で示すように、連通部８０とタンク１１の外部の空間とを連通して通気することとなる。
【００８２】
図７に示すように、クリップ部９３は、保持部９０自体をタンク１１の開口部１４に取り付けるための部位であり、弾性変形可能とされる。具体的には、クリップ部９３は、延在部９３ａと、湾曲部９３ｂとを備える。延在部９３ａは、通気部９２の他端９２ｂから下方へ向けて延在するように形成される。
【００８３】
湾曲部９３ｂは、延在部９３ａの端部（下端部）から連続するように形成される。湾曲部９３ｂは、タンク１１に取り付けられたときに、側面視においてタンク１１側へ突出するように湾曲される部位である。そして、クリップ部９３は、湾曲部９３ｂにおいて突出する部位９３ｂ１と、本体部９１との間で、タンク本体部１２を挟むようにすることで、保持部９０をタンク１１に固定する、正確にはタンク本体部１２に係止して固定する。
【００８４】
電線用保持部９４は、電動駆動ユニット６０に接続される電線Ｂを保持する部位である。例えば、電線用保持部９４は、本体部９１の上端部９１ａに形成され、電線Ｂが挿通可能な切欠きであり、より詳しくは、上端部９１ａから下方に向けて湾曲するように形成される切欠きである。これにより、保持部９０は、連通部８０に加え、電線Ｂを保持することも可能になる。
【００８５】
なお、図６などに示す電線用保持部９４の形状は、あくまでも例示であって限定されるものではない。上記では、保持部９０が電線用保持部９４を備えるようにしたが、これに限定されるものではなく、電線用保持部９４を備えない構成であってもよく、また、電線Ｂを保持する別の部材を用いるようにしてもよい。
【００８６】
このように、保持部９０は、タンク１１の開口部１４に配置されるとともに、連通部８０を保持する。これにより、連通部８０が所期の位置である開口部１４から移動してしまうことを抑制することができる。
【００８７】
また、保持部９０が配置される開口部１４は、上記したように、タンク１１の背面部１１ａに形成されることから、保持部９０は、使用者から見えにくい位置となる。これにより、本実施形態にあっては、保持部９０や連通部８０が見えてしまうことによる洗浄水タンク装置１０の意匠性の低下を抑制することができる。
【００８８】
また、保持部９０は、図４，７に示すように、タンク本体部１２の上端部１２ａに係止されて配置される。これにより、例えば、保持部９０をタンク１１に固定するための開口などを新たに設けることなく、タンク１１に固定することができる。
【００８９】
また、保持部９０は、他端９２ｂがタンク１１の外部の空間に開放される通気部９２を備えることから、連通部８０を通気部９２の一端９２ａに接続することで、電動駆動ユニット６０の内部の空間Ａ１をタンク１１の外部の空間に容易に連通させることができる。
【００９０】
なお、上記では、連通部８０は、通気部９２の一端９２ａが内側に入り込むようにして通気部９２に接続されるようにしたが、これに限定されるものではない。すなわち、例えば、連通部８０は、通気部９２の一端９２ａが外側になるように、言い換えると、連通部８０が通気部９２の中に入り込むようにして、通気部９２に接続されてもよい。
【００９１】
また、保持部９０は、通気部９２を備えるようにしたが、これに限定されるものではなく、通気部９２を備えない構成であってもよい。かかる場合、例えば、保持部９０は、連通部８０の他端８０ｂが直接タンク１１の外へ出るような位置で、連通部８０を保持するようにしてよい。
【００９２】
また、連通部８０は、必ずしも保持部９０に保持されなくてもよい。すなわち、連通部８０は、他端８０ｂが直接タンク１１の外へ出るような位置（例えば開口部１４）で、タンク１１に粘着テープなどで固定されてもよい。
【００９３】
上述してきたように、実施形態に係る洗浄水タンク装置１０は、タンク１１と、排水弁装置４０と、電動駆動ユニット６０と、連通部８０とを備える。タンク１１は、洗浄水を貯留する。排水弁装置４０は、タンク１１の排水口１５に設けられる排水弁４１を開閉する。電動駆動ユニット６０は、タンク１１内に配置されるとともに、排水弁装置４０を電動駆動によって動作させる駆動モータ６１を内部に収容する。連通部８０は、電動駆動ユニット６０の内部の空間を、タンク１１の背面部１１ａに形成され満水水位より上方に位置される開口部１４を介してタンク１１の外部の空間に連通させる。これにより、駆動モータ６１を内部に収容する電動駆動ユニット６０において結露を抑制することができる。
【００９４】
なお、上記では、連通部８０は、一端８０ａが電動駆動ユニット６０に取り付けられたキャップ部８５に接続されて、電動駆動ユニット６０の内部の空間Ａ１と連通するように構成したが、これに限定されるものではない。すなわち、例えば、連通部８０は、一端８０ａが電動駆動ユニット６０のケース６４に直接接続されて、電動駆動ユニット６０の内部の空間Ａ１と連通するようにしてもよい。
【００９５】
なお、電動駆動ユニット６０にあっては、出力軸６３の他端６３ｂがケース６４から露出していることから、例えば、他端６３ｂに手動レバーなどを取り付け、電動駆動ユニット６０を手動駆動ユニットとしても機能させるようにしてもよい。
【００９６】
さらなる効果や変形例は、当業者によって容易に導き出すことができる。このため、本発明のより広範な態様は、以上のように表しかつ記述した特定の詳細および代表的な実施形態に限定されるものではない。従って、添付の特許請求の範囲およびその均等物によって定義される総括的な発明の概念の精神または範囲から逸脱することなく、様々な変更が可能である。
【符号の説明】
【００９７】
１０  洗浄水タンク装置
１１  タンク
１２  タンク本体部
１３  蓋部
１４  開口部
４０  排水弁装置
６０  電動駆動ユニット
６３  出力軸
８０  連通部
８５  キャップ部
９２  通気部
９０  保持部
９４  電線用保持部
【図１】
2019218761.tif 000003
【図２】
2019218761.tif 000004
【図３】
2019218761.tif 000005
【図４】
2019218761.tif 000006
【図５】
2019218761.tif 000007
【図６】
2019218761.tif 000008
【図７】
2019218761.tif 000009
【図８】
2019218761.tif 000010